(57)【要約】【課題】振動や異音を抑制した送風機を提供すること。【解決手段】スポーク６０が回転軸５１を軸方向に押圧する構造であるため、ロータ５０が軸方向である上方に移動することを規制することができ、ロータ５０回転時の軸方向移動による振動や異音を抑制した遠心流送風機１００を提供できる。また、回転軸５１を軸方向に押圧するため、羽根５５１がハブ５５０より上筐体２０に向かって延びている構造であっても、上筐体２０を下方にした姿勢で遠心流送風機１００を設置しても、ロータ５０と上筐体２０との接触を少なくでき、振動や異音を抑制した遠心流送風機１００を提供できる。【選択図】  図２
2014080913.tif 000002
【特許請求の範囲】
【請求項１】
ラジアルすべり軸受によりロータを回転自在に支持するブラシレスモータと、
前記ブラシレスモータを収める筐体と、
前記筐体に設けられ、前記ロータの回転軸の少なくとも一端を軸方向に押圧するスポークとを備えた
ことを特徴とする送風機。
【請求項２】
前記スポークは弾性体からなる
ことを特徴とする請求項１に記載の送風機。
【請求項３】
前記回転軸の一端と前記スポークとの間に摺動部材を設けた
ことを特徴とする請求項１または請求項２に記載の送風機。
【発明の詳細な説明】
【技術分野】
【０００１】
本発明は、遠心流送風機に関する。
【背景技術】
【０００２】
ラジアルすべり軸受によりロータを回転自在に支持する構造のブラシレスモータを備えた遠心流送風機が知られている。ラジアルすべり軸受を備えたブラシレスモータでは、モータのロータの回転軸方向の振動を抑制するために、ステータの鉄心の回転軸方向における中心位置とロータの磁石の回転軸方向における中心位置とをずらし、鉄心と磁石との磁気作用によりロータを一方向に引きつけている。
【０００３】
また、ロータの回転軸方向の動き量を一定量以下に抑える構造が知られている。例えば、ロータを挟んで基部と対向する位置に、回転軸方向で所定間隙を設けて対向する抜け止め部材を設け、抜け止め部材を基部に連結する構造が知られている（例えば、特許文献１参照）。
【先行技術文献】
【特許文献】
【０００４】
【特許文献１】特開２０００−３４１９０７号公報
【発明の概要】
【発明が解決しようとする課題】
【０００５】
しかしながら、ロータと抜け止め部材との間には間隙があるため、ロータ回転時にロータが回転軸方向に振動すると、ロータが回転軸方向に動き、送風機自体の振動や異音が発生する。また、鉄心と磁石との磁気作用によりロータを引きつける方向が、重力方向と逆方向となる姿勢で送風機が使用されると、ロータの重さによりロータが抜け止め部材に接触しやすくなり、異音が発生する。
【０００６】
本発明は、このような事情を考慮してなされたもので、その目的は、振動や異音を抑制した送風機を提供することにある。
【課題を解決するための手段】
【０００７】
上述した目的を達成するべく本発明に係る送風機は、ラジアルすべり軸受によりロータを回転自在に支持するブラシレスモータと、前記ブラシレスモータを収める筐体と、前記筐体に設けられ、前記ロータの回転軸の少なくとも一端を軸方向に押圧するスポークとを備えたことを特徴とする。
【０００８】
また、本発明に係る送風機は、前記スポークは弾性体からなることを特徴とする。
【０００９】
また、本発明に係る送風機は、前記回転軸の一端と前記スポークとの間に摺動部材を設けたことを特徴とする。
【発明の効果】
【００１０】
本発明によれば、振動や異音を抑制した送風機を提供することができる。
【図面の簡単な説明】
【００１１】
【図１】実施形態における遠心流送風機の概略斜視図。
【図２】遠心流送風機の概略断面図。
【図３】変形例１における遠心流送風機の概略斜視図。
【発明を実施するための形態】
【００１２】
以下、本発明の送風機としての遠心流送風機１００について、実施形態を例に挙げて図面に基づいて詳しく述べる。
図１に、実施形態に係る遠心流送風機１００の概略斜視図を、図２に、概略断面図を示した。
【００１３】
図１において、遠心流送風機１００は、底部を有する略円筒状の筐体としての下筐体１０と、下筐体１０の上部に取り付けられる筐体としての上筐体２０とを備えている。以下、上筐体２０の配置された方向を上方と呼び、下筐体１０の配置された方向を下方と呼ぶ。
また、遠心流送風機１００は、上筐体２０の中央部に形成された円形の開口である吸い込み口３０と、下筐体１０の側部に形成された吹き出し口４０とを備えている。
【００１４】
下筐体１０と上筐体２０とで構成される筐体の中には、ロータ５０と、ロータ５０に設けられた羽根５５１とを備えたブラシレスモータ２００が収められている。
また、遠心流送風機１００は、上筐体２０と一体に形成され、吸い込み口３０の中心に向かって延びるスポーク６０とを備えている。
遠心流送風機１００は、ロータ５０の回転とともに羽根５５１が回転し、吸い込み口３０から、例えば、空気を吸い込み、吹き出し口４０から空気を吹き出す。
【００１５】
以下に、図１および図２を参照してより詳しく遠心流送風機１００について説明する。
図１および図２において、下筐体１０の底部１１の中央部には、筒状の軸受けハウジング１２が底部１１から立ち上がるように形成されている。軸受けハウジング１２の内周には、ラジアルすべり軸受け１３が取り付けられている。下筐体１０は、例えば、樹脂で成形することができる。
【００１６】
ブラシレスモータ２００は、ロータ５０とステータ７０とを備えている。
ロータ５０は、回転軸５１と、ボス部５２と、モータヨーク５３と、マグネット５４と、羽根車５５とを備えている。
回転軸５１は、ラジアルすべり軸受け１３に通されて支持されている。回転軸５１の底部１１側には、ポリエーテルエーテルケトンなどの樹脂からなる下摺動板８０が設けられている。回転軸５１の一端５１０は、下摺動板８０と接触している。ここで、下摺動板８０と接触する回転軸５１の一端５１０の端面を、例えば、球面に形成することにより、下摺動板８０との接触面積を少なくして回転軸５１の回転時の抵抗を少なくすることができる。
【００１７】
一方、回転軸５１の一端５１１は、スポーク６０によって軸方向に押圧されている。以下により詳しく説明する。
上筐体２０は、弾性体から形成されている。弾性体であれば、樹脂、金属等いずれであってもよいが、強度等の点から金属が好ましい。
ここで、スポーク６０は、吸い込み口３０の縁から中心方向に向かって延びるように上筐体２０と一体で形成されている。
また、スポーク６０は、上筐体２０を下筐体１０に取り付けた際に、回転軸５１が存在しない状態で、スポーク６０の先端と下摺動板８０との距離が、回転軸５１の長さより短くなるように、下筐体１０の底部１１に向かって形成されている。
【００１８】
スポーク６０の先端には凹部６１が設けられている。凹部６１には、ポリエーテルエーテルケトンなどの樹脂からなる摺動部材としての上摺動板６２が取り付けられている。
スポーク６０は、上摺動板６２が、回転軸５１の一端５１１の上方に来るように形成されている。
【００１９】
ここで、上摺動板６２と回転軸５１の一端５１１との位置を合わせて、上筐体２０を下筐体１０に上方から取り付けると、スポーク６０の先端に設けられた上摺動板６２と下摺動板８０との距離が、回転軸５１の長さより短いので、スポーク６０の弾性によって、回転軸５１の一端５１１は、軸方向に押圧される。
【００２０】
スポーク６０によって回転軸５１を軸方向に押圧する力は、スポーク６０の材質を変えて弾性を変化させたり、スポーク６０の断面形状を変えたりすることによって調整できる。また、回転軸５１が存在しない状態での上摺動板６２と下摺動板８０との距離を変えることによっても調節できる。
【００２１】
実施形態では、スポーク６０を途中で折り曲げた形状として、上筐体２０を下筐体１０に取り付けた状態で、スポーク６０の先端側が、底部１１と平行になるような形状としている。
【００２２】
上摺動板６２と接触する回転軸５１の一端５１１を、回転軸５１の一端５１０と同様に、例えば、球面に形成することにより、上摺動板６２との接触面積を少なくして回転時の抵抗を少なくすることができる。
【００２３】
回転軸５１の一端５１１側には、ボス部５２が設けられている。ボス部５２には、底部１１に開口した略円筒状のモータヨーク５３が取り付けられている。
モータヨーク５３の内周にはリング状のマグネット５４が固定され、モータヨーク５３の外周には羽根車５５が取り付けられている。
羽根車５５は、ハブ５５０の外周を取り巻くように形成された複数の羽根５５１を備えている。ここで、羽根５５１は、モータヨーク５３よりも上筐体２０に向かって延びて形成されている。
【００２４】
軸受けハウジング１２の外側には、ステータ７０が固定されている。
ステータ７０は、インシュレータ７１により絶縁を施したステータコア７２にコイル７３が巻き回されている。また、ステータ７０の下部には、電子部品によりブラシレスモータ２００としての電子回路を構成した回路基板９０が取り付けられている。
【００２５】
以上述べた実施形態によれば以下の効果がある。
（１）スポーク６０が回転軸５１を軸方向に押圧する構造であるため、ロータ５０が軸方向である上方に移動することを規制することができ、ロータ５０回転時の軸方向移動による振動や異音を抑制した遠心流送風機１００を提供できる。
【００２６】
（２）回転軸５１を軸方向に押圧するため、羽根５５１がハブ５５０より上筐体２０に向かって延びている構造であっても、上筐体２０を下方にした姿勢で遠心流送風機１００を設置しても、ロータ５０と上筐体２０との接触を少なくでき、振動や異音を抑制した遠心流送風機１００を提供できる。
【００２７】
（３）スポーク６０と回転軸５１との間に上摺動板６２を、回転軸５１と下筐体１０の底部１１との間に下摺動板８０を設けたので、回転軸５１が押圧された状態でも回転時の抵抗を少なくできる。
【００２８】
（変形例１）
図３は、変形例１における遠心流送風機１１０を示す図である。
実施形態では、スポークは１本であるが、本変形例の遠心流送風機１１０では、３本のスポーク６０により回転軸５１の軸方向への移動を規制している。その他の構成要素は実施形態と同じで、符号も実施形態と同じ符号を付した。
スポーク６０の数は３本に限らず、複数のスポーク６０全体として弾性が保てれば、スポークの数は特に限定されない。
【００２９】
本変形例によれば以下の効果がある。
（４）スポーク６０を複数本としたことで、回転軸５１の回転中心を安定して押圧することができる。
【００３０】
(変形例２)
スポーク６０を上筐体２０と別体として形成し、上筐体２０に接合する構造としてもよい。
【００３１】
本変形例によれば以下の効果がある。
（５）スポーク６０を上筐体２０と別体としたことで、スポーク６０の材質を適宜選択することが可能となり、回転軸５１の位置を軸方向に規制することに適した力で押圧することができる。
【００３２】
また、本発明はその要旨を逸脱しない範囲で種々変形して実施可能である。
例えば、スポーク６０の先端が回転軸の軸方向に安定して押圧するには、スポーク６０の先端側が、底部１１と平行になるのが好ましいが、底部１１に対して傾いていてもよい。
また、スポーク６０の幅や形状は、実施形態および変形例に示したものに限らず、弾性が得られる幅、形状であればよい。
【符号の説明】
【００３３】
１０：下筐体、１１：底部、１２：軸受けハウジング、１３：ラジアルすべり軸受け、２０：上筐体、３０：吸い込み口、４０：吹き出し口、５０：ロータ、５１：回転軸、５２：ボス部、５３：モータヨーク、５４：マグネット、５５：羽根車、６０：スポーク、６１：凹部、６２：上摺動板、７０：ステータ、７１：インシュレータ、７２：ステータコア、７３：コイル、８０：下摺動板、９０：回路基板、１００：遠心流送風機、２００：ブラシレスモータ、５１０，５１１：一端、５５１：羽根、５５０：ハブ。
【図１】
2014080913.tif 000003
【図２】
2014080913.tif 000004
【図３】
2014080913.tif 000005